(57)【要約】      （修正有）【課題】聴覚装置のユーザに対して、聴覚装置の設定、試聴または評価を容易にする聴覚システムを提供する。【解決手段】聴覚システム１は、付属装置４および聴覚装置２を含む。聴覚装置２は、第１マイクロフォン１６を含む入力モジュール１２、第１入力信号１６Ａを処理して第１入力信号１６Ａに基づいたプロセッサ出力信号を供給するプロセッサ２２及びプロセッサ出力信号２４に基づいた音声出力信号を供給するレシーバ２６と、を含む。聴覚システム１が、聴覚装置２の第１の一次設定を第１の二次設定に変更することを示すユーザー入力を取得するように構成され、第１の一次設定から第１の二次設定への変更の検出時に、第１の二次設定に従って二次音声出力信号を出力する。【選択図】図１
2019004458.tif 000002
【特許請求の範囲】
【請求項１】
聴覚装置を含む聴覚システムであって、
前記聴覚装置が
第１入力信号を供給するための入力モジュールであって、第１のマイクロフォンを含む入力モジュール、
前記第１入力信号を処理して、前記第１入力信号に基づいたプロセッサ出力信号を供給するプロセッサ、および
前記プロセッサ出力信号に基づいた音声出力信号を供給するレシーバを含み、
前記聴覚システムが、前記聴覚装置の第１の一次設定を第１の二次設定に変更することを示すユーザー入力を取得するように構成され、
前記聴覚装置が、前記第１の一次設定から前記第１の二次設定への変更の検出時に、前記第１の二次設定に従って二次音声出力信号を出力するように構成される、聴覚システム。
【請求項２】
前記聴覚システムが、前記第１の一次設定から前記第１の二次設定への変更を検出する前に、前記第１の一次設定に従って一次音声出力信号を出力するように構成される、請求項１に記載の聴覚システム。
【請求項３】
前記聴覚システムが、前記聴覚装置にワイヤレスで接続可能な付属装置を含んでおり、
前記付属装置が、付属装置ユーザーインターフェースを含み、
前記付属装置ユーザーインターフェースが、前記聴覚装置の前記第１の一次設定を前記第１の二次設定に変更することを示す前記ユーザー入力を取得するように構成される、請求項１または２に記載の聴覚システム。
【請求項４】
前記付属装置が、
前記二次音声出力信号を示す二次出力信号を決定し、
前記二次出力信号を前記聴覚装置へワイヤレスで送信するように構成される、請求項３に記載の聴覚システム。
【請求項５】
前記付属装置が、ラウドスピーカーを含み、
前記付属装置が、
前記聴覚装置に対する二次音声入力信号を取得し、
前記二次音声入力信号を前記ラウドスピーカーを通して出力するように構成される、請求項３に記載の聴覚システム。
【請求項６】
前記付属装置が、前記第１の一次設定から前記第１の二次設定への変更の検出時に、前記二次音声出力信号を出力するように前記聴覚装置を制御するための制御信号をワイヤレスで送信するように構成される、請求項３から５のいずれか一項に記載の聴覚システム。
【請求項７】
前記聴覚装置が、前記第１の二次設定に基づいて、前記聴覚装置のメモリ内の複数の音声出力信号から前記二次音声出力信号を選択するように構成される、請求項１から６のいずれか一項に記載の聴覚システム。
【請求項８】
前記第１の二次設定が、前記聴覚装置の１つ以上のゲインパラメータを含む、請求項１から７のいずれか一項に記載の聴覚システム。
【請求項９】
前記第１の二次設定が、前記聴覚装置の１つ以上のフィルタパラメータを含む、請求項１から８のいずれか一項に記載の聴覚システム。
【請求項１０】
前記第１の二次設定が、前記聴覚装置の１つ以上のビームフォーミングパラメータを含む、請求項１から９のいずれか一項に記載の聴覚システム。
【請求項１１】
前記第１の二次設定が、前記聴覚装置の１つ以上のノイズキャンセレーションパラメータを含む、請求項１から１０のいずれか一項に記載の聴覚システム。
【請求項１２】
前記第１の二次設定が、前記聴覚装置の１つ以上のイコライザパラメータを含む、請求項１から１１のいずれか一項に記載の聴覚システム。
【請求項１３】
前記聴覚システムが、前記聴覚装置の第２の一次設定を第２の二次設定に変更することを示すユーザー入力を取得するように構成され、
前記聴覚装置が、前記第２の一次設定から前記第２の二次設定への変更の検出時に、前記第２の二次設定に従って前記二次音声出力信号を出力するように構成される、請求項１から１２のいずれか一項に記載の聴覚システム。
【請求項１４】
聴覚装置を含む聴覚システムによって実施される方法であって、前記聴覚装置が、第１入力信号を供給するための入力モジュールであって、第１マイクロフォンを含む入力モジュール、前記第１入力信号を処理して、前記第１入力信号に基づいたプロセッサ出力信号を供給するプロセッサ、および前記プロセッサ出力信号に基づいた音声出力信号を供給するレシーバを含み、
前記方法が、
前記聴覚装置の第１の一次設定を第１の二次設定に変更することを示すユーザー入力を取得すること、および
前記第１の一次設定から前記第１の二次設定への変更の検出時に、前記第１の二次設定に従い、前記レシーバによって二次音声出力信号を出力することを含む、方法。
【請求項１５】
聴覚装置を含む聴覚システムのための付属装置であって、
付属装置ユーザーインターフェースおよびプロセッサを含み、
前記付属装置ユーザーインターフェースが、前記聴覚装置の第１の一次設定を第１の二次設定に変更することを示すユーザー入力を取得するように構成され、
前記プロセッサが、前記第１の一次設定から前記第１の二次設定への変更の検出時に、前記第１の二次設定に従って二次音声出力信号を出力するように前記聴覚装置を制御するように構成される、付属装置。
【発明の詳細な説明】
【技術分野】
【０００１】
本開示は、聴覚システム内での聴覚装置の設定の試聴または評価、ならびに特に聴覚システム、付属装置、および聴覚装置の設定を評価する方法に関する。
【背景技術】
【０００２】
聴覚装置の分野では、デジタル信号処理（ＤＳＰ）の設定によって何が行われるかをユーザーに説明することは難しい。その理由は、多くのユーザーが聴覚効果についての正確な、または一貫性のある語彙をもたないことである（ソフトウェアのユーザーインターフェースにおけるラベル付け／名前付けが困難）。音源が外的／環境的な場合の聴覚装置の適用では、音の処理効果をデモンストレーションするために、音の入力が常に存在したり適切であったりすることはない。例えばユーザーが聴覚装置のノイズリダクション設定を調節した場合、その新しい設定後の違いは、環境の騒々しさがなくなったことによるのか、または設定の調節によって環境雑音が変化したことによるのかを知覚することは難しい。このような明確なフィードバックの不足のため、ユーザーが、音質を改善する可能性のあるＤＳＰの特性を試し、使用することが妨げられている。なぜなら、ユーザーはその特性が行っていることが理解できないか、またはその特性の実際の効果についての確信をもてないからである。
【０００３】
米国特許出願公開公報第２００９／００２８３６２号は、可視化された心理音響的変数を有する聴覚装置および関連する方法に関する。ユーザーのための聴覚装置の設定および／または調節が提供される。この聴覚装置には、入力音を処理して出力音を形成する信号処理設備と、この信号処理設備において、またはデータリンクと接続された処理設備において実行される知覚モデルが含まれ、この知覚モデルによって出力音に関する心理音響的変数が提供される。例えばリモートコントロールと統合された、処理設備を含む視覚化設備は、好ましくは信号処理設備へワイヤレスで接続される。こうして心理音響的変数の値が可視化される。
【発明の概要】
【発明が解決しようとする課題】
【０００４】
したがって、聴覚装置のユーザーに対し、設定調節についての改良された明確なフィードバックを提供する、聴覚システム、方法および聴覚装置が必要とされている。
【課題を解決するための手段】
【０００５】
聴覚装置および／または付属装置を含む聴覚システムが開示される。聴覚装置は、第１入力信号を供給するための入力モジュールであって、第１マイクロフォンを含む入力モジュール；第１入力信号を処理して、第１入力信号に基づいたプロセッサからの出力信号を供給するプロセッサ；およびプロセッサからの出力信号に基づいて出力信号を音声出力信号に変換するレシーバを含む。聴覚システムは、聴覚装置の第１の一次設定を第１の二次設定に変更することを示すユーザー入力を、受信および検出するように構成される。さらに、聴覚装置は、例えば第１の一次設定から第１の二次設定への変更の検出時またはそれ以降に、第１の二次設定および／または第１の一次設定に従って二次音声出力信号を出力するように構成されてもよい。
【０００６】
さらに、聴覚装置および／または付属装置を含む聴覚システムにおいて、例えば聴覚装置の設定を評価する方法が開示される。前記方法は、任意に、聴覚システムによって行われる。聴覚装置は、第１入力信号を供給するための入力モジュールであって、第１マイクロフォンを含む入力モジュール；第１入力信号を処理して、第１入力信号に基づいたプロセッサからの出力信号を供給するプロセッサ；およびプロセッサからの出力信号に基づいて出力信号を音声出力信号に変換するレシーバを含む。前記方法は、聴覚装置の第１の一次設定を第１の二次設定に変更することを示すユーザー入力を得ること、例えば受信および／または検出することと、第１の一次設定から第１の二次設定への変更の検出時に、第１の二次設定に従い、レシーバによって二次音声出力信号を出力することとを含む。
【０００７】
聴覚装置を含む聴覚システムのための、またはその一部を形成する付属装置が開示される。付属装置は付属装置ユーザーインターフェースおよびプロセッサを含み、付属装置ユーザーインターフェースは、聴覚装置の第１の一次設定を第１の二次設定に変更することを示すユーザー入力を取得、例えば受信および／または検出するように構成され、プロセッサは、例えば第１の一次設定から第１の二次設定への変更の検出時に、第１の二次設定に従って二次音声出力信号を出力するように聴覚装置を制御するように構成される。
【０００８】
本明細書に開示される聴覚システムおよび方法は、ユーザーが聴覚装置の１つ以上の設定を変更した際には、直ちに、またはリアルタイムで、音声のフィードバックをユーザーへ提供する。したがってユーザーは、聴覚装置の１つ以上の新規設定の効果を確実かつ効果的に評価できる。
【０００９】
聴覚効果のプレビューにより、ほとんどのユーザーに対して一貫性のある正確な語彙を見出すことについての問題が回避され、ユーザーへ音処理効果を説明する上での問題は軽減される。実際の直接的な音声によるデモンストレーションは、ユーザーに処理効果の有効性を示すと共に、現在環境音が存在しないか、またはその効果によって何が起こったかを理解するために環境音が理想的でない場合に、ユーザーがより良い最適な設定を選択する助けとなる。さらに、実際の音／音声を用いたデモンストレーションは、ユーザーとのコミュニケーションの上でさらに効果的となり得る。
【００１０】
本聴覚システム、装置および方法は、聴覚装置のユーザーへ、設定調節に対する改良された明確なフィードバックを提供する。
【００１１】
聴覚装置において聴覚装置設定（例えばＥＱ、ノイズリダクションなど）を調節するために通常用いられるグラフィカルおよび／または物理的インターフェースへの拡張が提供される。聴覚システムは、コントロール（例えばスライダー、ノブ、またはボタン）を操作する際に、デモンストレーションの音声信号を発生または出力させて、調節の効果をはっきりと聞けるようにする。
【００１２】
ユーザー入力についてのユーザーへのフィードバックのためにソニフィケーションを用いることは、本開示の重要な利点である。これに関連して、ソニフィケーションは情報または知覚可能なデータを伝えるための非言語音声の使用である。聴覚による知覚は、時間的、空間的、振幅、および周波数についての分解能に利点を有し、可視化技術の代替または補完としての可能性を開くものである。
【００１３】
聴覚システムは聴覚装置を含み、聴覚装置は、第１入力信号を供給するための入力モジュールであって、第１マイクロフォンを含む入力モジュール；第１入力信号を処理して、第１入力信号に基づいたプロセッサ出力信号を供給するプロセッサ；およびプロセッサ出力信号に基づいた音声出力信号を供給するレシーバを含み、聴覚システムは、聴覚装置の第１の一次設定を第１の二次設定に変更することを示すユーザー入力を取得するように構成され、聴覚装置は、第１の一次設定から第１の二次設定への変更の検出時に、第１の二次設定に従って二次音声出力信号を出力するように構成される。
【００１４】
任意に、聴覚システムは、第１の一次設定から第１の二次設定への変更を検出する前に、第１の一次設定に従って一次音声出力信号を出力するように構成される。
【００１５】
任意に、聴覚システムは、聴覚装置にワイヤレスで接続可能な付属装置を含み、付属装置は付属装置ユーザーインターフェースを含み、付属装置ユーザーインターフェースは、聴覚装置の第１の一次設定を第１の二次設定に変更することを示すユーザー入力を取得するように構成される。
【００１６】
任意に、付属装置は、二次音声出力信号を示す二次出力信号を決定し、二次出力信号を聴覚装置へワイヤレスで送信するように構成される。
【００１７】
任意に、付属装置はラウドスピーカーを含み、付属装置は、聴覚装置への二次音声入力信号を取得し、二次音声入力信号をラウドスピーカーを通して出力するように構成される。
【００１８】
任意に、付属装置は、第１の一次設定から第１の二次設定への変更の検出時に、二次音声出力信号を出力するように聴覚装置を制御する制御信号をワイヤレスで送信するように構成される。
【００１９】
任意に、聴覚装置は、第１の二次設定に基づいて、聴覚装置のメモリ内の複数の音声出力信号から二次音声出力信号を選択するように構成される。
【００２０】
任意に、第１の二次設定は、聴覚装置の１つ以上のゲインパラメータを含む。
【００２１】
任意に、第１の二次設定は、聴覚装置の１つ以上のフィルタパラメータを含む。
【００２２】
任意に、第１の二次設定は、聴覚装置の１つ以上のビームフォーミングパラメータを含む。
【００２３】
任意に、第１の二次設定は、聴覚装置の１つ以上のノイズキャンセレーションパラメータを含む。
【００２４】
任意に、第１の二次設定は、聴覚装置の１つ以上のイコライザパラメータを含む。
【００２５】
任意に、聴覚システムは、聴覚装置の第２の一次設定を第２の二次設定に変更することを示すユーザー入力を取得するように構成され、聴覚装置は、第２の一次設定から第２の二次設定への変更の検出時に、第２の二次設定に従って二次音声出力信号を出力するように構成される。
【００２６】
聴覚装置を含む聴覚システムによって実施される方法において、聴覚装置は第１入力信号を供給するための入力モジュールであって、第１マイクロフォンを含む入力モジュール、第１入力信号を処理して、第１入力信号に基づいたプロセッサ出力信号を供給するプロセッサ、およびプロセッサ出力信号に基づいた音声出力信号を供給するレシーバを含む。方法は、聴覚装置の第１の一次設定を第１の二次設定に変更することを示すユーザー入力を取得すること、および第１の一次設定から第１の二次設定への変更の検出時に、第１の二次設定に従い、レシーバによって二次音声出力信号を出力することを含む。
【００２７】
聴覚装置を含む聴覚システムのための付属装置は、付属装置ユーザーインターフェースおよびプロセッサを含み、付属装置ユーザーインターフェースは、聴覚装置の第１の一次設定を第１の二次設定に変更することを示すユーザー入力を取得するように構成され、プロセッサは、第１の一次設定から第１の二次設定への変更の検出時に、第１の二次設定に従って二次音声出力信号を出力するように聴覚装置を制御するように構成される。
【００２８】
その他の特性は、以下の、発明を実施するための形態において詳述する。
【図面の簡単な説明】
【００２９】
上記の特性および利点ならびにその他の特性および利点は、添付の図面を参照した、以下の例示的な実施形態についての詳細な記述によって、当業者には容易に明らかとなるであろう。
【図１】図１は、例示的な聴覚システムを模式的に示す。
【図２】図２は、さらなる例示的な聴覚システムを模式的に示す。
【図３】図３は、別の例示的な聴覚システムを模式的に示す。
【図４】図４は、例示的な付属装置を模式的に示す。
【図５】図５は、例示的な方法を模式的に示す。
【図６】図６は、例示的な方法を模式的に示す。
【発明を実施するための形態】
【００３０】
以下、関連する図面を参照しながら、様々な例示的実施形態および詳細について記載する。図面は縮尺どおりである場合もそうでない場合もあり、同様の構造または機能の要素はすべての図面を通して同様の参照番号によって表されることに留意されたい。また、図面は実施形態の説明を容易にすることのみを意図したものであることにも留意されたい。図面は、特許請求の範囲に記載された発明の包括的な説明や、特許請求の範囲に記載された発明の範囲の限定を意図したものではない。加えて、図示されている実施形態は、示されている態様または利点のすべてを有している必要はない。特定の実施形態と関連して記載される態様または利点は、必ずしもその実施形態に限定されるものではなく、そのように図示されていなくても、またはそのように明確に記載されていなくても、他のいずれの実施形態においても実施可能である。
【００３１】
聴覚装置を含む聴覚システムが開示される。聴覚装置は補聴器またはヒアラブルであってよい。聴覚装置は、耳かけ（ＢＴＥ）型、耳あな（ＩＴＥ）型、外耳道挿入（ＩＴＣ）型、外耳道レシーバ挿入（ＲＩＣ）型、または耳あなレシーバ挿入（ＲＩＴＥ）型であってもよい。プロセッサは、ユーザーの難聴を補うように構成されてもよい。補聴器は両耳用補聴器であってもよい。聴覚システムは付属装置を含んでいてもよい。付属装置は、スマートフォンのような携帯電話であってもよい。付属装置は、リモートコントロール装置であってもよい。
【００３２】
聴覚装置は、第１入力信号を供給するための入力モジュールを含み、入力モジュールは、第１マイクロフォン信号を供給するための第１マイクロフォンを含む。第１マイクロフォン信号は第１入力信号であってよい。入力モジュールは、第２マイクロフォン信号を供給するための第２マイクロフォンを含んでよい。入力モジュールは、ビームフォーム信号を供給するための第１ビームフォーマを含んでよい。第１ビームフォーマは、第１マイクロフォンおよび第２マイクロフォンに接続され、第１マイクロフォン信号および第２マイクロフォン信号に基づいたビームフォーム信号を供給するように構成されてよい。第１ビームフォーマからのビームフォーム信号は、第１入力信号であってよい。したがって入力モジュールは、任意に第２マイクロフォンおよび第１ビームフォーマを含み、第１ビームフォーマは、第１マイクロフォンおよび第２マイクロフォンに接続され、第１入力信号としての第１および第２マイクロフォン信号に基づいたビームフォーム信号を供給するように構成される。
【００３３】
聴覚装置は、第１入力信号を処理して、第１入力信号に基づいたプロセッサ出力信号を供給するプロセッサを含む。
【００３４】
聴覚装置は、プロセッサ出力信号に基づいた出力信号を音声出力信号に変換するためのレシーバを含む。
【００３５】
聴覚装置は、任意に、聴覚システムの付属装置および／または反対側聴覚装置と通信（受信および／または送信）するための送受信機モジュールを含む。送受信機モジュールは、付属装置からの１つ以上のワイヤレス入力信号をアンテナ出力信号に変換するアンテナを含んでよい。送受信機モジュールは、任意に、アンテナ出力信号を送受信機入力信号に変換するアンテナに結合された無線送受信機を含む。送受信機入力信号は、付属装置および／または反対側聴覚装置からの音声ストリームおよび／または１つ以上の制御信号を含んでよい。送受信機モジュールは、複数のアンテナおよび／または１つ以上のアンテナモードにおいて操作されるように構成され得る１つのアンテナを含んでよい。
【００３６】
聴覚システムは、聴覚装置の第１の一次設定を第１の二次設定に変更することを示すユーザー入力を受信および検出するように構成される。したがって聴覚システムは、ユーザー入力を受信および／または検出するための１つ以上のユーザーインターフェースを含んでよい。例えば聴覚装置は、ユーザー入力を受信する聴覚装置ユーザーインターフェースを含んでよい。聴覚装置ユーザーインターフェースは、１つ以上のボタンおよび／またはボイスコントロールユニットを含んでもよい。付属装置は、付属装置ユーザーインターフェースを含んでよい。付属装置ユーザーインターフェースは、タッチセンス面、例えばタッチディスプレイおよび／または１つ以上のボタンを含んでもよい。付属装置ユーザーインターフェースは、ボイスコントロールユニットを含んでもよい。聴覚装置ユーザーインターフェースは、１つ以上の物理的スライダー、ノブおよび／またはプッシュボタンを含んでよい。付属装置ユーザーインターフェースは、１つ以上の物理的またはバーチャル（オンスクリーン）スライダー、ノブおよび／またはプッシュボタンを含んでよい。
【００３７】
１つ以上の例示的な聴覚システムにおいて、聴覚装置は、例えば第１の一次設定から第１の二次設定への変更の検出時に、二次音声出力信号を、例えば第１の二次設定に従って出力するように構成される。
【００３８】
聴覚システム、例えば聴覚装置は、例えば第１の一次設定から第１の二次設定への変更を検出前および／または二次音声出力信号の出力前に、任意に第１の一次設定に従って一次音声出力信号を出力するように構成されてよい。一次音声出力信号は、二次音声出力信号とは異なっていてよい。変更の検出および／または二次音声出力信号の出力の前に、一次出力信号を出力することによって、ユーザーは聴覚装置設定の変更がリスニング経験を改善したか否かを直ちに比較し、評価できる。
【００３９】
第１の一次設定および／または第１の二次設定のような設定は、聴覚装置の１つ以上のゲインパラメータを含んでよい。
【００４０】
第１の一次設定および／または第１の二次設定のような設定は、聴覚装置の１つ以上のフィルタパラメータを含んでよい。
【００４１】
第１の一次設定および／または第１の二次設定のような設定は、聴覚装置の１つ以上のビームフォーミングパラメータを含んでよい。
【００４２】
第１の一次設定および／または第１の二次設定のような設定は、聴覚装置の１つ以上のノイズキャンセレーションパラメータを含んでよい。
【００４３】
第１の一次設定および／または第１の二次設定のような設定は、聴覚装置の１つ以上のイコライザパラメータを含んでよい。
【００４４】
第１の一次設定および／または第１の二次設定のような設定は、耳鳴りを管理または軽減するための聴覚装置の１つ以上のパラメータ（耳鳴りマスカー）を含んでよい。
【００４５】
第１の一次設定および／または第１の二次設定のような設定は、聴覚装置の１つ以上の周波数低下パラメータを含んでよい。
【００４６】
第１の一次設定および／または第１の二次設定のような設定は、聴覚装置の１つ以上の拡張パラメータを含んでよい。
【００４７】
第１の一次設定および／または第１の二次設定のような設定は、聴覚装置の１つ以上の圧縮パラメータを含んでよい。
【００４８】
第１の一次設定および／または第１の二次設定のような設定は、空間認識を増大させるための、聴覚装置の１つ以上のパラメータを含んでよい。
【００４９】
第１の一次設定および／または第１の二次設定のような設定は、リスニングの快適さを増大させるための、聴覚装置の１つ以上のパラメータを含んでよい。
【００５０】
第１の一次設定および／または第１の二次設定のような設定は、状況認識を増大させるための、聴覚装置の１つ以上のパラメータを含んでよい。
【００５１】
例えば第１の一次設定は、第１の一次設定における第１の値と、第１の二次設定における第１の値とは異なる第２の値とを備える第１ゲインパラメータを含んでよい。
【００５２】
例えば第１の一次設定は、第１の一次設定における第１の値と、第１の二次設定における第１の値とは異なる第２の値とを備える第１ノイズキャンセレーションパラメータを含んでよい。
【００５３】
例えば第１の一次設定は、第１の一次設定における第１の値と、第１の二次設定における第１の値とは異なる第２の値とを備える第１ビームフォーミングパラメータを含んでよい。
【００５４】
例えば第１の一次設定は、第１の一次設定における第１の値と、第１の二次設定における第１の値とは異なる第２の値とを備える第１イコライザパラメータを含んでよい。
【００５５】
例えば第１の一次設定は、第１の一次設定における第１の値と、第１の二次設定における第１の値とは異なる第２の値とを備える第１フィルタパラメータを含んでよい。
【００５６】
付属装置は、一次音声出力信号を示す一次出力信号を任意に第１の一次設定に基づいて決定し、一次出力信号を聴覚装置へワイヤレスで送信するように構成されてよい。一次出力信号の聴覚装置へのワイヤレス送信によって、周囲のノイズが限定されているかもしくは無い状態での、および／または聴覚装置における信号処理／メモリが少ない状態での評価が可能になる。付属装置は任意に、聴覚システムの１つ以上の聴覚装置とのワイヤレス通信（受信および／または送信）のための送受信機モジュールを含む。送受信機モジュールはプロセッサに接続され、聴覚装置との間でやり取りする１つ以上のワイヤレス信号を送信および／または受信するためのアンテナを含んでよい。送受信機モジュールは任意に、アンテナに接続された無線送受信機を含む。送受信機モジュールは、複数のアンテナおよび／または１つ以上のアンテナモードにおいて操作されるように構成され得る１つのアンテナを含んでよい。
【００５７】
付属装置はラウドスピーカーを含んでよく、付属装置は、聴覚装置への一次音声入力信号を取得し、一次音声入力信号をラウドスピーカーを通して出力するように任意に構成される。付属装置は、付属装置における設定調節モードのアクティブ化検出時に、ラウドスピーカーを通して一次音声入力信号を出力するように構成されてよい。
【００５８】
聴覚装置への一次音声入力信号を取得することは、第１の一次設定および／または第１の二次設定に基づいて、聴覚装置への一次音声入力信号を決定することを含んでよい。一次音声入力信号は、一次音声出力信号を示すものであってよい。
【００５９】
付属装置は、例えば第１の一次設定から第１の二次設定への変更を検出する前に、一次音声出力信号を出力するように聴覚装置を制御するための制御信号をワイヤレスで送信するように構成されてよい。付属装置は、例えば付属装置における設定調節モードのアクティブ化検出時に、一次音声出力信号を出力するように聴覚装置を制御するための制御信号をワイヤレスで送信するように構成されてよい。
【００６０】
聴覚システムは任意に付属装置を含む。付属装置は、聴覚装置にワイヤレスで接続可能であってよく、任意に付属装置ユーザーインターフェースを含む。付属装置ユーザーインターフェースは、聴覚装置の第１の一次設定から第１の二次設定への変更を示すユーザー入力を受信および検出するように構成されてよい。
【００６１】
付属装置は、二次音声出力信号を示す二次出力信号を任意に第１の二次設定に基づいて決定し、二次出力信号を聴覚装置へワイヤレスで送信するように構成されてよい。二次出力信号の聴覚装置へのワイヤレス送信によって、周囲のノイズが限定されているかもしくは無い状態での評価が可能になる。
【００６２】
付属装置はラウドスピーカーを含んでよく、付属装置は、聴覚装置への二次音声入力信号を取得し、二次音声入力信号をラウドスピーカーを通して出力するように任意に構成される。二次音声入力信号は一定であってよい。
【００６３】
聴覚装置への二次音声入力信号を取得することは、第１の一次設定および／または第１の二次設定に基づいて、聴覚装置への二次音声入力信号を決定することを含んでよい。二次音声入力信号は、二次音声出力信号を示すものであってよい。
【００６４】
付属装置は、例えば第１の一次設定から第１の二次設定への変更の検出時に、二次音声出力信号を出力するように聴覚装置を制御するための制御信号をワイヤレスで送信するように構成されてよく、例えば聴覚装置の音処理設定（ゲイン、フィルター、ノイズキャンセレーションなど）を変更することによって、例えば聴覚装置からの音声出力信号が、先の入力信号を基準とした際に違って聞こえるようにする。
【００６５】
付属装置から聴覚装置へ送信される制御信号は、第１の二次設定を示してよい。
【００６６】
付属装置から聴覚装置へ送信される制御信号は、二次音声出力信号を示してよい。例えば聴覚装置は、例えば聴覚装置のメモリに保存された音声出力信号および／または音声出力の特性に基づき、付属装置からの制御信号の受信に応答して二次音声出力信号を生成および／または出力するように構成されてよい。二次音声出力信号は、例えば付属装置からの制御信号に基づいて、例えば聴覚装置のメモリに保存された少なくとも２，３以上の数の異なった二次音声出力信号／音声出力の特性から選択および／または生成されてよい。
【００６７】
１つ以上の例示的な聴覚システムにおいて、聴覚装置への制御信号のワイヤレス送信は、ラウドスピーカーを通した二次音声入力信号の出力と組み合わされてよい。二次音声入力信号は一定であってよい。このように聴覚装置は、例えば第１の二次設定を二次音声入力へ適用するか、または初期設定を二次音声入力へ適用するかを制御される。初期設定の適用は、付属装置が二次音声入力信号を調整する例示的な聴覚システムにおいて使用されてもよい。
【００６８】
１つ以上の例示的な聴覚システムにおいて、聴覚装置への制御信号のワイヤレス送信は、聴覚装置への二次出力信号のワイヤレス送信と組み合わされてよい。
【００６９】
聴覚装置は、第１の二次設定に基づいて、聴覚装置のメモリ内の複数の音声出力信号から二次音声出力信号を選択するように構成されてよい。
【００７０】
聴覚システムは、聴覚装置の第２の一次設定から第２の二次設定への変更を示すユーザー入力を受信および検出するように構成されてよい。聴覚装置は、例えば第２の一次設定から第２の二次設定への変更の検出時に、第２の二次設定に従って二次音声出力信号を出力するように構成されてよい。
【００７１】
第２の一次設定および／または第２の二次設定は、聴覚装置の１つ以上のゲインパラメータを含んでよい。第２の一次設定および／または第２の二次設定は、聴覚装置の１つ以上のフィルタパラメータを含んでよい。第２の一次設定および／または第２の二次設定は、聴覚装置の１つ以上のビームフォーミングパラメータを含んでよい。第２の一次設定および／または第２の二次設定は、聴覚装置の１つ以上のノイズキャンセレーションパラメータを含んでよい。第２の一次設定および／または第２の二次設定は、聴覚装置の１つ以上のイコライザパラメータを含んでよい。
【００７２】
１つ以上の例示的な聴覚システムにおいて、二次音声出力信号は、例えばノブおよびスライダーのような連続的制御によって連続した一貫性のある音とすることができ、この音は、制御が調節されると（設定の変更が検出されると）すぐに始まり、最後の調節が為される直後まで、例えば設定調節モードが終了するまで、および／または変更された設定が承認されるまで続く。
【００７３】
１つ以上の例示的な聴覚システムにおいて、二次音声出力信号は、例えばボタンのようなユーザーインターフェースの別個の部分を用いることにより一定時間出力されてよい。ボタンを押し続けるごとに、音声出力信号が継続してもよい。
【００７４】
聴覚システム、例えば付属装置または聴覚装置は、聴覚装置の第１の二次設定の承認を示すユーザー入力を受信および検出するように構成されてよく、聴覚装置は、第１の二次設定の受け入れを検出した時点で、聴覚装置に第１の二次設定が適用されるように構成される。聴覚装置の第１の二次設定の承認を示すユーザー入力は、ユーザーインターフェース、例えば付属装置ユーザーインターフェース上のアクセプトボタンの、ユーザーによるアクティブ化を含んでよい。聴覚装置の第１の二次設定の承認を示すユーザー入力は、ユーザーがアクセプト期間に第１の二次設定を変更しないこととして検出されてよい。したがって、ユーザーは、アクセプト期間にさらなる入力を行わないことによって、第１の二次設定を受け入れてよい。アクセプト期間は、１０ないし４０秒、例えば約１５、２０、２５、または３０秒であってよい。
【００７５】
付属装置は、第１の二次設定の受け入れを検出すると、制御信号を、任意に第１の二次設定と共に聴覚装置へ送信してよく、この制御信号はユーザーによる受け入れを示す。聴覚装置はユーザーによる受け入れを示す制御信号を受信した後、第１の二次設定を聴覚装置に適用する、および／または第１の二次設定をメモリ内に保存する。
【００７６】
さらに、聴覚装置を含む聴覚システムにおいて聴覚装置の設定を評価する方法が開示される。聴覚システムは、聴覚装置を含む。聴覚装置は、第１入力信号を供給するための入力モジュールであって、第１マイクロフォンを含む入力モジュール；第１入力信号を処理して、第１入力信号に基づいたプロセッサからの出力信号を供給するプロセッサ；およびプロセッサからの出力信号に基づいて出力信号を音声出力信号に変換するレシーバを含む。
【００７７】
前記方法は、例えば聴覚装置の聴覚装置ユーザーインターフェースによって、または聴覚システムの付属装置の付属装置ユーザーインターフェースによって、聴覚装置の第１の一次設定を第１の二次設定に変更することを示すユーザー入力を受信および検出することを含む。
【００７８】
前記方法は、例えば第１の一次設定から第１の二次設定への変更の検出時に、第１の二次設定に従い、レシーバによって二次音声出力信号を出力することを含む。
【００７９】
前記方法は、例えば第１の一次設定から第１の二次設定への変更を検出する前および／または付属装置における設定調節モードのアクティブ化の検出時に、第１の一次設定に従って一次音声出力信号を出力することを含んでよい。
【００８０】
図１は例示的な聴覚システムを示す。聴覚システム１は聴覚装置２および付属装置４を含む。聴覚装置２は、付属装置との（ワイヤレス）通信のための送受信機モジュール６および任意に反対側聴覚装置（図１には示していない）を含む。送受信機モジュール６はアンテナ８および送受信機１０を含み、付属装置４からのワイヤレス信号を受信および／または送信するように構成される。聴覚装置２は第１入力信号１４を供給するための入力モジュール１２を含み、入力モジュール１２は、第１マイクロフォン入力信号１６Ａおよび第２マイクロフォン入力信号１８Ａそれぞれを供給するために、第１マイクロフォン１６および第２マイクロフォン１８を含む。入力モジュール１２は、第１マイクロフォン入力信号１６Ａおよび第２マイクロフォン入力信号１８Ａを受信して処理するための第１マイクロフォン１６および第２マイクロフォン１８に接続されたビームフォーミングモジュール２０を任意に含む。ビームフォーミングモジュール２０は、第１マイクロフォン入力信号１６Ａおよび第２マイクロフォン入力信号１８Ａに基づいて、ビームフォーム信号２０Ａを供給または出力する。聴覚装置はプロセッサ２２を含み、ビームフォーム信号２０Ａは第１入力信号１４としてプロセッサ２２に送り込まれる。プロセッサ２２は第１入力信号１４を処理して、第１入力信号１４に基づいたプロセッサ出力信号２４を供給する。聴覚装置２は、プロセッサ出力信号２４に基づいた出力信号を音声出力信号に変換するための、すなわち音声出力信号を供給するためのレシーバ２６を含む。
【００８１】
付属装置４はスマートフォンであり、タッチディスプレイ３２を含む付属装置ユーザーインターフェース３０、およびプロセッサ（図示していない）を含む。付属装置４は、ユーザーが聴覚装置の設定を調節できる設定調節モードにある。
【００８２】
付属装置ユーザーインターフェース３０は、ハンドル３６を備えた第１バーチャルスライダー３４を含む。付属装置ユーザーインターフェース３０は、ユーザーがハンドル３６に触って、これを第１の一次設定に対応する第１の位置４０から第１の二次設定に対応する第２の位置４２へドラッグさせることによる、聴覚装置の第１の一次設定から第１の二次設定への変更を示すユーザー入力を受信および検出するように構成される。
【００８３】
第１の一次設定から第１の二次設定への変更（ハンドル３６が第１の位置４０から第２の位置４２へ移動）の検出時に、付属装置のプロセッサは、第１の二次設定に基づいて二次音声出力信号を示す二次出力信号を決定し、二次出力信号４４を聴覚装置へワイヤレスで送信するように構成される。同時に、付属装置は制御信号４６を聴覚装置２へワイヤレスで送信する。聴覚装置は制御信号４６の受信時に、ワイヤレスストリーミングおよび任意に聴覚装置の初期設定に切り替わり、二次出力信号をワイヤレスで受信して二次出力信号４４をストリーミングすることによって、二次音声出力信号を出力する。このように二次音声出力信号は、ユーザーが付属装置４に設定した第１の二次設定に従って出力される。二次出力信号４４、制御信号４６、および一次出力信号４８は、付属装置の送受信機モジュール５０を通して送信されたワイヤレス信号であることに留意されたい。これにより、ユーザーに提示される音声信号へ影響を与える周囲音なしに、第１の二次設定の評価が可能になる。
【００８４】
さらに、図１の聴覚システム１は、第１の一次設定から第１の二次設定への変更を検出する前に、第１の一次設定に従って一次音声出力信号を出力するように構成される。付属装置４のプロセッサは、例えば設定調節モードへのエントリー時に、設定の変更前にユーザーが付属装置ユーザーインターフェース３０のハンドル３６に触ったかまたは（バーチャル）スタートボタン４７をアクティブ化した際に、一次音声出力信号を示す一次出力信号を第１の一次設定に基づいて決定し、一次出力信号４８を聴覚装置へワイヤレスで送信するように構成される。同時に、付属装置は制御信号４６を聴覚装置２へワイヤレスで送信する。聴覚装置は制御信号４６の受信時に、ワイヤレスストリーミングおよび任意に聴覚装置の初期設定に切り替わり、一次出力信号４８をワイヤレスで受信して一次出力信号４８をストリーミングすることによって、一次音声出力信号を出力する。このように一次音声出力信号は、付属装置４における第１の一次設定に従って出力される。ユーザーは、現在の設定、例えば第１の二次設定を、付属装置ユーザーインターフェース３０の（バーチャル）アクセプトボタン４９をアクティブ化することによって、受け入れまたは承認する。第１の二次設定の受け入れを検出した時点で、付属装置は、ユーザーによる受け入れを示す制御信号を、第１の二次設定と共に聴覚装置へ送信する。聴覚装置はユーザーによる受け入れを示す制御信号を受信した後、第１の二次設定を聴覚装置に適用する、および／または第１の二次設定を聴覚装置のメモリ内に保存する。
【００８５】
図２は、図１の聴覚システムとは異なる別の例示的な聴覚システムを示す。聴覚システム１Ａは聴覚装置２および付属装置４Ａを含む。聴覚装置２は、付属装置との（ワイヤレス）通信のための送受信機モジュール６および任意に反対側聴覚装置（図１には示していない）を含む。送受信機モジュール６はアンテナ８および送受信機１０を含み、付属装置４Ａからのワイヤレス信号を受信および／または送信するように構成される。聴覚装置２は第１入力信号１４を供給するための入力モジュール１２を含み、入力モジュール１２は、第１マイクロフォン入力信号１６Ａおよび第２マイクロフォン入力信号１８Ａそれぞれを供給するために、第１マイクロフォン１６および第２マイクロフォン１８を含む。入力モジュール１２は、第１マイクロフォン入力信号１６Ａおよび第２マイクロフォン入力信号１８Ａを受信して処理するための第１マイクロフォン１６および第２マイクロフォン１８に接続されたビームフォーミングモジュール２０を任意に含む。ビームフォーミングモジュール２０は、第１マイクロフォン入力信号１６Ａおよび第２マイクロフォン入力信号１８Ａに基づいて、ビームフォーム信号２０Ａを供給または出力する。聴覚装置はプロセッサ２２を含み、ビームフォーム信号２０Ａは第１入力信号１４としてプロセッサ２２に送られる。プロセッサ２２は第１入力信号１４を処理して、第１入力信号１４に基づいたプロセッサ出力信号２４を供給する。聴覚装置２は、プロセッサ出力信号２４に基づいた出力信号を音声出力信号に変換するためのレシーバ２６を含む。
【００８６】
付属装置４Ａはスマートフォンであり、タッチディスプレイ３２を含む付属装置ユーザーインターフェース３０、およびプロセッサ（図示していない）を含む。付属装置４Ａは、ユーザーが聴覚装置の設定を調節できる設定調節モードにある。付属装置４Ａはラウドスピーカー５４を含む。
【００８７】
付属装置ユーザーインターフェース３０は、ハンドル３６を備えた第１バーチャルスライダー３４を含む。付属装置ユーザーインターフェース３０は、ユーザーがハンドル３６に触って、これを第１の一次設定に対応する第１の位置４０から第１の二次設定に対応する第２の位置４２へドラッグさせることによる、聴覚装置の第１の一次設定から第１の二次設定への変更を示すユーザー入力を受信および検出するように構成される。
【００８８】
付属装置のプロセッサは、例えば第１の一次設定から第１の二次設定への変更（ハンドル３６が第１の位置４０から第２の位置４２へ移動）の検出時に、聴覚装置への二次音声入力信号５６を取得し、ラウドスピーカー５４を通して二次音声入力信号５６を出力するように構成される。同時に、付属装置４Ａは制御信号４６を聴覚装置２へワイヤレスで送信する。制御信号４６は、第１の二次設定を示してよい。聴覚装置は入力モジュールによって二次音声入力信号を受信し、任意に制御信号４６および／または第１の二次設定に従って、聴覚装置内で二次音声入力信号５６を処理することによって二次音声出力信号を出力する。このように二次音声出力信号は、ユーザーが付属装置４に設定した第１の二次設定に従って出力される。
【００８９】
さらに、図２の聴覚システム１Ａは、第１の一次設定から第１の二次設定への変更を検出する前に、第１の一次設定に従って一次音声出力信号を出力するように任意に構成される。付属装置４のプロセッサは、例えば設定調節モードへのエントリー時に、設定の変更前にユーザーが付属装置ユーザーインターフェース３０のハンドル３６に触ったかまたは（バーチャル）スタートボタン４７をアクティブ化した際に、聴覚装置への一次音声入力信号５８を取得し、ラウドスピーカー５４を通して一次音声入力信号５８を出力するように構成される。同時に、付属装置４は制御信号４６を聴覚装置２へワイヤレスで送信する。制御信号４６は、第１の一次設定を示してよい。聴覚装置は入力モジュールによって一次音声入力信号を受信し、任意に制御信号４６および／または第１の一次設定に従って、聴覚装置内で一次音声入力信号５８を処理することによって一次音声出力信号を出力する。このように一次音声出力信号は、ユーザーが付属装置４に設定した第１の一次設定に従って出力される。１つ以上の例示的な聴覚システムにおいて、制御信号４６は付属装置ユーザーインターフェースに示される現在の設定を含み、一次音声入力信号と二次音声入力信号とは同じ信号である。ユーザーは、現在の設定、例えば第１の二次設定を、付属装置ユーザーインターフェース３０の（バーチャル）アクセプトボタン４９をアクティブ化することによって、受け入れまたは承認する。第１の二次設定の受け入れを検出した時点で、付属装置は、ユーザーによる受け入れを示す制御信号を、任意に第１の二次設定と共に聴覚装置へ送信する。聴覚装置はユーザーによる受け入れを示す制御信号を受信した後、第１の二次設定を聴覚装置に適用する、および／または第１の二次設定を聴覚装置のメモリ内に保存する。
【００９０】
図３は、別の例示的な聴覚システムを示す。聴覚システム１Ｂは聴覚装置２および付属装置４Ｂを含む。付属装置４Ｂは、第１の一次設定から第１の二次設定への変更の検出時に、聴覚装置からの二次音声出力信号の出力を制御するための制御信号をワイヤレスで送信するように構成される。聴覚システム１Ｂにおいて、制御信号４６は第１の二次設定を示し、聴覚装置２は、第１の二次設定に基づいて、聴覚装置のメモリ内の複数の音声出力信号から二次音声出力信号を選択するように構成される。聴覚装置２は、選択された二次音声出力信号をレシーバ２６を通して出力する。
【００９１】
図４は聴覚システムの例示的な付属装置を示す。付属装置４Ｃは、聴覚システム１、１Ａ、１Ｂにおいて用いられてよい。付属装置４Ｃはスマートフォンであり、タッチディスプレイ３２を含む付属装置ユーザーインターフェース３０、およびプロセッサ（図示していない）を含む。付属装置４Ｃは、ユーザーが聴覚装置の設定を調節できる設定調節モードにある。付属装置４Ａはラウドスピーカー５４を含む。
【００９２】
上で詳述した第１バーチャルスライダー３４に加え、付属装置ユーザーインターフェース３０は、ハンドル６２を備えた第２バーチャルスライダー６０を含む。付属装置ユーザーインターフェース３０は、ユーザーがハンドル６２に触って、これを第２の一次設定に対応する第１の位置６４から第２の二次設定に対応する第２の位置６６へドラッグさせることによる、聴覚装置の第２の一次設定から第２の二次設定への変更を示すユーザー入力を受信および検出するように構成される。
【００９３】
付属装置４Ｃは、第２の二次設定および任意に現在の第１の設定（第１バーチャルスライダー３４）に基づいて信号４４、４６、４８、５６、５８の１つ以上を決定し、送信する。聴覚システムの聴覚装置は、例えば図１〜３に関して記載されるように、それ故に第２の二次設定に従って、信号４４、４６、４８、５６、５８の１つ以上に基づいて二次音声出力信号を出力するように構成される。ユーザーは、現在の第１および第２の設定を、付属装置ユーザーインターフェース３０の（バーチャル）アクセプトボタン４９をアクティブ化することによって、受け入れまたは承認する。第１および第２の設定の受け入れを検出した時点で、付属装置は、ユーザーによる受け入れを示す制御信号を、任意に現在の第１および第２の設定と共に聴覚装置へ送信する。聴覚装置はユーザーによる受け入れを示す制御信号を受信した後、現在の第１および第２の設定を聴覚装置に適用する、および／または現在の第１および第２の設定を聴覚装置のメモリ内に保存する。
【００９４】
図５は、聴覚装置を含む聴覚システムにおける、聴覚装置の設定を評価するための例示的な方法のフロー図である。聴覚システムは、聴覚装置を含む。聴覚装置は、第１入力信号を供給するための入力モジュールであって、第１マイクロフォンを含む入力モジュール；第１入力信号を処理して、第１入力信号に基づいたプロセッサ出力信号を供給するプロセッサ；およびプロセッサ出力信号に基づいて出力信号を音声出力信号に変換するレシーバを含む。方法１００は、聴覚装置の第１の一次設定を第１の二次設定に変更することを示すユーザー入力を受信および検出すること（１０２）と、第１の一次設定から第１の二次設定への変更の検出時に、第１の二次設定に従い、レシーバによって二次音声出力信号を出力すること（１０４）を含む。さらに方法１００は、第１の一次設定から第１の二次設定への変更を検出する前に、第１の一次設定に従って一次音声出力信号を出力することを含む。
【００９５】
方法１００において、第１の二次設定に従い、レシーバによって二次音声出力信号を出力すること（１０４）は、任意に、付属装置によって二次音声入力信号を決定し、出力すること（１０８）を含む。方法１００において、第１の二次設定に従い、レシーバによって二次音声出力信号を出力すること（１０４）は、任意に、付属装置によって制御信号を決定し、ワイヤレスで送信すること（１１０）を含み、例えば制御信号は第１の二次設定を示す。
【００９６】
図６は、聴覚装置を含む聴覚システムにおける、聴覚装置の設定を評価するための例示的な方法のフロー図である。聴覚システムは、聴覚装置を含む。聴覚装置は、第１入力信号を供給するための入力モジュールであって、第１マイクロフォンを含む入力モジュール；第１入力信号を処理して、第１入力信号に基づいたプロセッサ出力信号を供給するプロセッサ；およびプロセッサ出力信号に基づいて出力信号を音声出力信号に変換するレシーバを含む。方法２００は、聴覚装置の第１の一次設定を第１の二次設定に変更することを示すユーザー入力を受信および検出すること（２０２）と、第１の一次設定から第１の二次設定への変更の検出時に、第１の二次設定に従い、レシーバによって二次音声出力信号を出力すること（２０４）を含む。さらに方法２００は、第１の一次設定から第１の二次設定への変更を検出する前に、第１の一次設定に従って一次音声出力信号を出力することを含む。
【００９７】
方法２００において、第１の二次設定に従い、レシーバによって二次音声出力信号を出力すること（２０４）は、任意に、付属装置によって二次出力信号を決定し、ワイヤレスで送信すること（２０８）を含む。方法２００において、第１の二次設定に従い、レシーバによって二次音声出力信号を出力すること（２０４）は、任意に、付属装置によって制御信号を決定し、ワイヤレスで送信すること（２１０）を含み、例えば制御信号は第１の二次設定を示す。
【００９８】
「第１」、「第２」、「第３」および「第４」、「一次」、「二次」などの用語の使用は、いかなる順序も示すものではないが、個別の要素を同定するために包含される。さらに、第１、第２などの用語の使用は、いかなる順序または重要性も意味するものではなく、第１、第２などの用語は、１つの要素を別の要素から区別するために用いられる。あらゆる箇所で使用される第１、第２などの用語は、標識目的のみで使用され、他に指示のない限り、どのような特定の空間的または時間的順序の表示も意図したものではないことに留意されたい。さらに、第１要素の標識は第２要素の存在を暗示するものではなく、その逆もまた同じである。
【００９９】
特徴を示し、記載してきたが、これらの特徴は、特許請求の範囲に記載された発明を限定することを意図していないことが理解され、特許請求の範囲に記載された発明の思想および範囲から逸脱することなく種々の変更および改変が行われてもよいことが当業者に明らかになるだろう。したがって、明細書および図面は、限定するという観点ではなく、実例であると考えるべきである。特許請求の範囲に記載された発明は、全ての代替例、改変および均等物を包含することを意図している。
【０１００】
以下の項目は、本出願時の特許請求の範囲に記載の要素である。
［項目１］
聴覚装置を含む聴覚システムであって、前記聴覚装置が
第１入力信号を供給するための入力モジュールであって、第１のマイクロフォンを含む入力モジュール、
前記第１入力信号を処理して、前記第１入力信号に基づいたプロセッサ出力信号を供給するプロセッサ、および
前記プロセッサ出力信号に基づいた音声出力信号を供給するレシーバを含み、
前記聴覚システムが、前記聴覚装置の第１の一次設定を第１の二次設定に変更することを示すユーザー入力を取得するように構成され、
前記聴覚装置が、前記第１の一次設定から前記第１の二次設定への変更の検出時に、前記第１の二次設定に従って二次音声出力信号を出力するように構成される聴覚システム。
［項目２］
前記聴覚システムが、前記第１の一次設定から前記第１の二次設定への変更を検出する前に、前記第１の一次設定に従って一次音声出力信号を出力するように構成される、項目１に記載の聴覚システム。
［項目３］
前記聴覚システムが、前記聴覚装置にワイヤレスで接続可能な付属装置を含んでおり、
前記付属装置が、付属装置ユーザーインターフェースを含み、
前記付属装置ユーザーインターフェースが、前記聴覚装置の前記第１の一次設定を前記第１の二次設定に変更することを示す前記ユーザー入力を取得するように構成される、項目１または２に記載の聴覚システム。
［項目４］
前記付属装置が、
前記二次音声出力信号を示す二次出力信号を決定し、
前記二次出力信号を前記聴覚装置へワイヤレスで送信するように構成される、項目３に記載の聴覚システム。
［項目５］
前記付属装置が、ラウドスピーカーを含み、
前記付属装置が、
前記聴覚装置に対する二次音声入力信号を取得し、
前記二次音声入力信号を前記ラウドスピーカーを通して出力するように構成される、項目３に記載の聴覚システム。
［項目６］
前記付属装置が、前記第１の一次設定から前記第１の二次設定への変更の検出時に、前記二次音声出力信号を出力するように前記聴覚装置を制御するための制御信号をワイヤレスで送信するように構成される、項目３から５のいずれか一項に記載の聴覚システム。
［項目７］
前記聴覚装置が、前記第１の二次設定に基づいて、前記聴覚装置のメモリ内の複数の音声出力信号から前記二次音声出力信号を選択するように構成される、項目１から６のいずれか一項に記載の聴覚システム。
［項目８］
前記第１の二次設定が、前記聴覚装置の１つ以上のゲインパラメータを含む、項目１から７のいずれか一項に記載の聴覚システム。
［項目９］
前記第１の二次設定が、前記聴覚装置の１つ以上のフィルタパラメータを含む、項目１から８のいずれか一項に記載の聴覚システム。
［項目１０］
前記第１の二次設定が、前記聴覚装置の１つ以上のビームフォーミングパラメータを含む、項目１から９のいずれか一項に記載の聴覚システム。
［項目１１］
前記第１の二次設定が、前記聴覚装置の１つ以上のノイズキャンセレーションパラメータを含む、項目１から１０のいずれか一項に記載の聴覚システム。
［項目１２］
前記第１の二次設定が、前記聴覚装置の１つ以上のイコライザパラメータを含む、項目１から１１のいずれか一項に記載の聴覚システム。
［項目１３］
前記聴覚システムが、前記聴覚装置の第２の一次設定を第２の二次設定に変更することを示すユーザー入力を取得するように構成され、
前記聴覚装置が、前記第２の一次設定から前記第２の二次設定への変更の検出時に、前記第２の二次設定に従って前記二次音声出力信号を出力するように構成される、項目１から１２のいずれか一項に記載の聴覚システム。
［項目１４］
聴覚装置を含む聴覚システムによって実施される方法であって、前記聴覚装置が第１入力信号を供給するための入力モジュールであって、第１マイクロフォンを含む入力モジュール、前記第１入力信号を処理して、前記第１入力信号に基づいたプロセッサからの出力信号を供給するプロセッサ、および前記プロセッサからの出力信号に基づいた音声出力信号を供給するレシーバを含み、
前記方法が、
前記聴覚装置の第１の一次設定を第１の二次設定に変更することを示すユーザー入力を取得すること、および
前記第１の一次設定から前記第１の二次設定への変更の検出時に、前記第１の二次設定に従い、前記レシーバによって二次音声出力信号を出力することを含む、方法。
［項目１５］
聴覚装置を含む聴覚システムのための付属装置であって、
付属装置ユーザーインターフェースおよびプロセッサを含み、
前記付属装置ユーザーインターフェースが、前記聴覚装置の第１の一次設定を第１の二次設定に変更することを示すユーザー入力を取得するように構成され、
前記プロセッサが、前記第１の一次設定から前記第１の二次設定への変更の検出時に、前記第１の二次設定に従って二次音声出力信号を出力するように前記聴覚装置を制御するように構成される、付属装置。
【符号の説明】
【０１０１】
１、１Ａ  聴覚システム
２  聴覚装置
４、４Ａ  付属装置
６  送受信機モジュール
８  アンテナ
１０  送受信機／無線ユニット
１２  入力モジュール
１４  第１入力信号
１６  第１マイクロフォン
１６Ａ  第１マイクロフォン入力信号
１８  第２マイクロフォン
１８Ａ  第２マイクロフォン入力信号
２０  ビームフォーミングモジュール
２０Ａ  ビームフォーム信号
２２  プロセッサ
２４  プロセッサ出力信号
２６  レシーバ
３０  付属装置ユーザーインターフェース
３２  タッチディスプレイ
３４  第１バーチャルスライダー
３６  ハンドル
４０  ハンドルの第１の位置
４２  ハンドルの第２の位置
４４  二次出力信号
４６  制御信号
４７  スタートボタン
４８  一次出力信号
４９  アクセプトボタン
５０  付属装置の送受信機モジュール
５４  付属装置のラウドスピーカー
５６  二次音声入力信号
５８  一次音声入力信号
６０  第２バーチャルスライダー
６２  ハンドル
６４  ハンドルの第１の位置
６６  ハンドルの第２の位置
１００  聴覚システムにおいて聴覚装置の設定を評価する方法
１０２  ユーザー入力を受信および検出すること
１０４  第１の二次設定に従い、レシーバによって二次音声出力信号を出力すること
１０６  第１の一次設定に従い、一次音声出力信号を出力すること
１０８  付属装置によって二次音声入力信号を決定し、出力すること
１１０  付属装置によって制御信号を決定し、ワイヤレスで送信すること
２００  聴覚システムにおいて聴覚装置の設定を評価する方法
２０２  ユーザー入力を受信および検出すること
２０４  第１の二次設定に従い、レシーバによって二次音声出力信号を出力すること
２０６  第１の一次設定に従い、一次音声出力信号を出力すること
２０８  付属装置によって二次出力信号を決定し、ワイヤレスで送信すること
２１０  付属装置によって制御信号を決定し、ワイヤレスで送信すること
【図１】
2019004458.tif 000003
【図２】
2019004458.tif 000004
【図３】
2019004458.tif 000005
【図４】
2019004458.tif 000006
【図５】
2019004458.tif 000007
【図６】
2019004458.tif 000008
【外国語明細書】
2019004458000001.pdf
2019004458000002.pdf
2019004458000003.pdf
2019004458000004.pdf